(57)【要約】【課題】電波障害の問題を発生することなく、低コストで多数の蛍光管を点灯させることができる蛍光灯の点灯装置を提供する。【解決手段】電子安定器を２つのブロックに分け、商用電源からの交流電力を直流電力に整流する整流回路及び高周波の発生を抑える力率改善回路を備えて直流電力を出力する直流出力回路１２と、直流電力から高周波出力に変換するインバータ回路とに分離し、これらの設置場所を別とする。直流出力回路１２と多数のインバータ回路１４−１、１４−２、・・・１４−１５とを給電線１５を介して接続して、多数の蛍光管１８の点灯駆動を行う。【選択図】図２
2009087886.tif 000002
【特許請求の範囲】
【請求項１】
商用電源からの交流電力を整流する整流回路、高周波の発生を抑える力率改善回路及び直流電力から高周波出力に変換するインバータ回路を備えた電子安定器を有する蛍光灯の点灯装置において、
前記整流回路及び力率改善回路を備えて直流電力を出力する直流出力回路と、前記インバータ回路とを分離して設置場所を別とすると共に多数のインバータ回路を設け、該直流出力回路と該多数のインバータ回路とを給電線を介して接続して、多数の蛍光管の点灯駆動を行うことを特徴とする蛍光灯の点灯装置。
【発明の詳細な説明】
【技術分野】
【０００１】
本発明は、蛍光灯の点灯装置に関する。
【背景技術】
【０００２】
現在市販されている蛍光灯の点灯装置は、商用電源にインダクタとグローランプだけを接続した俗称、銅鉄形安定器や、商用交流電力を整流後、インバータで５０ｋＨ程度の高周波電流とする俗称、電子安定器がある。効率、蛍光管の寿命の点で、電子安定器が勝り、普及しつつある。市販されている電子安定器は、整流回路、力率改善回路、インバータ回路が一体に構成されており、点灯できる蛍光管の本数は、１つの電子安定器につき２本程度となっている。
【０００３】
即ち、２本の蛍光管ごとに、整流回路、力率改善回路、インバータ回路を設ける必要があり、そのため、コストがかかるという問題がある。
【０００４】
かかる問題を解決するために特許文献１では、各灯具がそれぞれ並列に接続されて、インダクタとコンデンサとからなる安定器を有し、インバータと各灯具とは離れて別体に設置されており、これらは給電線によって長い距離を引き回されている。これによって、一つの大容量の高周波インバータ装置を用いて複数の放電灯を点灯することができ、インバータ装置から離れた箇所に複数の灯具を設置することができるようになっている。
【０００５】
【特許文献１】特開平８−２８８０７６号公報
【発明の開示】
【発明が解決しようとする課題】
【０００６】
しかしながら、特許文献１の構成では、インバータから各灯具までの給電線を高周波電流が流れるために、電波障害の問題が発生する、という問題がある。
【０００７】
本発明はかかる課題に鑑みなされたもので、電波障害の問題を発生することなく、低コストで多数の蛍光管を点灯させることができる蛍光灯の点灯装置を提供することをその目的とする。
【課題を解決するための手段】
【０００８】
前述した課題を解決するために、請求項１記載の発明は、商用電源からの交流電力を整流する整流回路、高周波の発生を抑える力率改善回路及び直流電力から高周波出力に変換するインバータ回路を備えた電子安定器を有する蛍光灯の点灯装置において、
前記整流回路及び力率改善回路を備えて直流電力を出力する直流出力回路と、前記インバータ回路とを分離して設置場所を別とすると共に多数のインバータ回路を設け、該直流出力回路と該多数のインバータ回路とを給電線を介して接続して、多数の蛍光管の点灯駆動を行うことを特徴とする。
【発明の効果】
【０００９】
本発明によれば、電子安定器を直流出力回路とインバータ回路とに分離し、これらの設置場所を別とし、該直流出力回路と多数のインバータ回路とを給電線を介して給電線を介して接続するので、給電線には高周波電流が流れず、電波障害の問題を回避することができる。
【００１０】
１つの直流出力回路に対して多数のインバータ回路を給電線を介して接続して多数の蛍光灯の点灯駆動を行うことができるために、低コストで製造することができる。
【発明を実施するための最良の形態】
【００１１】
以下、図面を用いて本発明の実施の形態を説明する。尚、以下の実施形態は本発明を限定するものではない。
【００１２】
図１は、本発明による蛍光灯の点灯装置のブロック図である。図において、点灯装置１０は、従来の電子安定器を２つのブロックに分割している。
【００１３】
第１ブロックは直流出力回路１２であり、該直流出力回路１２は、フィルタ回路２０、整流回路２４、力率改善回路２６及びＤＣ／ＤＣコンバータ２８を備えている。
【００１４】
フィルタ回路２０は商用電源からの交流入力のろ波を行うものであり、整流回路２４は交流電圧を整流するものであり、力率改善回路２６は整流回路２４の出力電流波形の改善と出力電圧の安定化を図るものである。この力率改善回路２６によって、ＡＣ８５Ｖ〜ＡＣ２６４Ｖの入力電圧に対しＤＣ３７０Ｖの出力電圧に安定化する。そして、この直流電圧でＤＣ／ＤＣコンバータ２８を駆動し、最終出力をＤＣ１２０Ｖとする。
【００１５】
第２ブロックはインバータ回路１４であり、ＤＣ１２０Ｖで駆動する自励発振回路で構成される。ＦＥＴを使用した高効率で部品点数の少ない回路とすることとよい。インバータ回路１４は、ＤＣ１２０Ｖの入力で動作し、出力は高周波の２５ＫＨｚ、７５０Ｖの正弦波となる。
【００１６】
このインバータ回路１４は減流回路１６に接続される。減流回路１６は、インバータ回路１４から蛍光管１８に供給される電流を制限するコンデンサ３０を有する。このコンデンサ３０は、銅鉄形安定器におけるインダクタの働きをする。そして、この例では、１つのインバータ回路１４に対して４つの蛍光管１８が並列に接続される。
【００１７】
この点灯装置１０においては、電子安定器を構成する回路を、直流出力回路１２とインバータ回路１４との２つのブロックに分離しており、これらのブロックはそれぞれ設置場所を別とする。そして、これらのブロック間は、給電線１５によって接続される。
【００１８】
図２は、電子安定器を構成する１つの直流出力回路１２に対して、多数、例えば１５個のインバータ回路１４−１、１４−２、・・・１４−１５を接続したものであり、各インバータ回路１４に４つの蛍光管１８が接続されるとすると、合計６０本の蛍光管を同時に点灯させることができる。このように直流出力回路１２を共有化することにより、部品点数を削減できて信頼性が高くなり、コストを低減することができる。それぞれのブロックを適切な場所に設置することで、保守・管理が容易となる。図の例の６０本の蛍光管を点灯させれば、２本点灯の従来の点灯装置と比較して１／３０の部品で済むことになり、大幅にコストを低減することができる。電力系の部品は容量が大きくなるが、それらは直流出力回路１２で使用されるので、使用数が少数で済む。
【００１９】
直流出力回路１２とインバータ回路１４とを接続する給電線１５には直流出力回路１２からの直流電圧が印加されるだけであるので、電波障害といった問題を回避することができ、安全性を高めることができる。
【００２０】
例えば、直流出力回路１２は、配電盤などの点検しやすく、温度、湿度等が安定して良好な環境の良い場所に設置するとよい。このような保守・管理しやすい直流出力回路１２を、定期点検に供して、定期的に整備することにより、長期間使用することができて、コストを削減することができる。
【００２１】
一方、インバータ回路１４は、蛍光管１８の設置箇所に応じて、高所、屋外、高湿度といった悪条件に設置せざる得ない場合があるが、このインバータ回路１４をシンプルに構成することができ、信頼性を高めることができるので、保守・管理が容易となる。このインバータ回路１４は、商用電源と完全に分離され、絶縁することができるため、漏電の危険も防ぐことができる。
【図面の簡単な説明】
【００２２】
【図１】本発明による蛍光灯の点灯装置のブロック図である。
【図２】図１の点灯装置において、１つの直流出力回路に対して多数のインバータ装置を接続した実施形態を表すブロック図である。
【符号の説明】
【００２３】
１０  点灯装置
１２  直流出力回路
１４  インバータ回路
１５  給電線
１８  蛍光管
２４  整流回路
２６  力率改善回路
【図１】
2009087886.tif 000003
【図２】
2009087886.tif 000004